(57)【要約】【課題】安価で利便性に優れ、リサイクル性のある隠蔽式葉書を提供する。【解決手段】剥離紙４を剥離した後、折り線３で情報隠蔽用紙片２を折り返して情報記入用紙片１に重ねたときに、情報隠蔽用紙片１が透明粘着剤層２３を介して情報記入用紙片２に接着され、その後に情報隠蔽用紙片２を情報記入用紙片１から剥離すると、紫外線硬化樹脂層２２と剥離剤層２１との間で剥離して、紫外線硬化樹脂層２２によって隠蔽情報記入用紙片上の情報記入部２ｂが被覆された状態となる情報隠蔽シートＸ１により解決される。【選択図】図２
2007268818.tif 000002
【特許請求の範囲】
【請求項１】
折り線を介して連接された情報記入用紙片と隠蔽用紙片とを有し、
前記隠蔽用紙片は、基紙層、剥離剤層、透明紫外線硬化樹脂層、透明粘着剤層がこの順に積層された層構造を有することを特徴とする情報隠蔽シート。
【請求項２】
剥離剤層が、カチオン重合紫外線硬化型シリコーン剥離剤を主成分とするものである請求項１記載の情報隠蔽シート。
【請求項３】
基紙層と剥離剤層との間に目止め層が設けられている請求項１または２記載の情報隠蔽シート。
【発明の詳細な説明】
【技術分野】
【０００１】
本発明は、シート面に記入した情報を隠蔽できる情報隠蔽シートに関する。
【背景技術】
【０００２】
情報隠蔽シートは、情報記入用紙片に隠蔽情報を記入した後に、その記入面に隠蔽用紙片を重ねて貼合することで情報の隠蔽を図り、必要時に隠蔽用紙片を情報記入用紙片から剥離して隠蔽した情報の読み取りを可能としたものであり、企業が特定会員に送付するダイレクトメールや、個人情報や口座番号を記入して各種届出機関へ郵送する際に用いる情報隠蔽式葉書によく利用されている。
情報隠蔽シートでは、第３者による隠蔽情報の読み取りや追記改ざん防止のため、いったん貼合状態の用紙片同士を引き剥がした後に、再貼合できないように構成したものが知られている。この種の再貼合不能とした情報隠蔽シートは、ラミネートフィルム等フィルム層を有するシートを用いる（下記、特許文献１、２）。
【特許文献１】特開平１１−１９８５６５
【特許文献２】特開平８−２４１０４０
【発明の開示】
【発明が解決しようとする課題】
【０００３】
しかし、このフィルム層を有するシートは、情報記入部を有する情報記入用シートと別体で製造されるため、製造工程においてあるいは情報を隠蔽するにあたってこれらを重ね合わせて接着するという煩雑な作業工程を要する。
また、フィルム層があると古紙材料としてリサイクルするにあたって、基紙層とフィルム層とを分離させるのが難しくリサイクルしにくいという欠点があった。
そこで、本発明の主たる課題は、製造が容易であり、かつ、煩雑な操作なく貼合を行うことができ、しかも剥離作業後に再貼合が不能となる情報隠蔽シートを提供することにある。
【課題を解決するための手段】
【０００４】
上記課題を解決した本発明は次記のとおりである。
＜請求項１記載の発明＞
折り線を介して連接された情報記入用紙片と隠蔽用紙片とを有し、
前記隠蔽用紙片は、基紙層、剥離剤層、透明紫外線硬化樹脂層、透明粘着剤層がこの順に積層された層構造を有することを特徴とする情報隠蔽シート。
【０００５】
＜請求項２記載の発明＞
剥離剤層が、カチオン重合紫外線硬化型シリコーン剥離剤を主成分とするものである請求項１記載の情報隠蔽シート。
【０００６】
＜請求項３記載の発明＞
基紙層と剥離剤層との間に目止め層が設けられている請求項１または２記載の情報隠蔽シート。
【発明の効果】
【０００７】
本発明の情報隠蔽シートは、基紙の片面に、目止め層、剥離剤層と、紫外線硬化樹脂層と、透明粘着剤層とがこの順に積層されている。従って、折り線で情報隠蔽用紙片を折り返して情報記入用紙片に重ねたときに、前記情報隠蔽用紙片が粘着剤層を介して前記情報記入用紙片に接着され、さらに接着後に前記情報隠蔽用紙片を情報記入用紙片から剥離するときには、前記紫外線硬化樹脂層と剥離剤層との間で剥離する。そして剥離後に前記紫外線硬化樹脂層によって隠蔽情報記入用紙片表面の粘着面が被覆されるので、情報隠蔽用紙片の再貼着ができなくなり、第３者に情報が読み取られた場合にはその事実を確認できる。
なお、本発明および明細書における透明紫外線硬化樹脂層および透明粘着剤層の透明度は、透明粘着剤層および透明紫外線硬化樹脂層が積層された状態で、それよりも下層の文字・図形などが視覚認識できる範囲の透明性を有していればよく、これらの範囲であれば特に限定されるものではない。従って、半透明程度であってもよく完全透明を意味するものではない。
他方、本発明の情報隠蔽シートは、情報記入用紙片と情報隠蔽用紙片とが折り線を介して連接されているため、情報隠蔽シートの紛失のおそれがない。
また、各層はすべて印刷や塗工という簡易な方法で形成することができ、もって各用紙片を共通の基シートで作成することができ製造が容易となる。
さらに、フィルム層を備えないため、リサイクル性にも優れる。
【発明を実施するための最良の形態】
【０００８】
次いで、本発明の実施の形態を以下に図面を参照しながら詳述する。本形態は本発明の情報隠蔽シートを隠蔽式葉書Ｘ１に採用した例である。図１は、本発明の隠蔽式葉書Ｘ１の使用前の表面側を示す図、図２は、裏面側を示す図、図３はそのＩＩＩ−ＩＩＩ矢視図、図４は、隠蔽式葉書Ｘ１の情報隠蔽時の表面側を示す図、図５は、そのＶ−Ｖ矢視図、図６は、隠蔽式葉書Ｘ１の情報隠蔽用紙片剥離後の状態を示す図、図７は、そのＶＩＩ−ＶＩＩ矢視図、図８は、隠蔽式葉書の他の形態Ｘ２の表面側を示す図、図９は、その裏面側を示す図である。
【０００９】
隠蔽式葉書Ｘ１は、同サイズの情報記入用紙片１と情報隠蔽用紙片２とが折り線３で連接されている。情報記入用紙片１と情報隠蔽用紙片２とは一枚の共通の基紙より形成されており基紙層１２を共有する。折り線３は、ミシン目で形成されており情報隠蔽用紙片２の折り返しが容易に行えるようにされているとともに、必要に応じては切り離しも可能となっている。ミシン目３の形成方法は特に限定されない。従来既知の方法により形成することができる。
【００１０】
情報記入用紙片１は、表面側１Ａに地紋印刷Ｍが施され、裏面側１Ｂに隠蔽情報記入部１ｂを有する。情報隠蔽用紙片２は、表面側２Ａに宛名情報記入部２ａを有し、裏面側２Ｂが、剥離剤層２１、透明紫外線硬化樹脂層２２、透明粘着剤層２３がこの順に積層された層構造を有する。
【００１１】
透明粘着剤層２３は、貼合前においては粘着剤層２３の意図しない部位への接着を防止すべく剥離紙４によって被覆されて保護されている。
【００１２】
各用紙片を構成する基紙としては、上質紙、アート紙、コート紙、クラフト紙、軽量コート紙、合成紙等の各種の紙を用いることができる。好ましくは上質紙、コート紙、アート紙、含浸紙である。基紙の厚さに特に制限はないが、好ましくは、５０〜３００μｍである。なお、基紙は、裏面の隠蔽情報を読み取られないようにすべく、不透明な材質にする必要がある。基紙の不透明度は、ＪＩＳ Ｐ  ８１４９に規定する不透明度が９０％以上であるのが望ましい。リサイクル性を考慮して、パルプ繊維を主原料とするものが好適に用いられる。
【００１３】
剥離剤層２１は、基紙１２の情報隠蔽用紙片側領域に剥離剤を塗布して形成されている。剥離剤としては、シリコーン、長鎖アルキルポリマー、ポリオレフィン、アルキド樹脂、フッ素化合物等の既知の剥離剤を用いることができる。特にカチオン重合紫外線硬化型シリコーンを主成分とする剥離剤が好ましく、特に好適には、カチオン重合紫外線硬化型シリコーンからなる剥離剤である。かかる剥離剤は、大気中の酸素による硬化阻害を受けず、また、窒素置換雰囲気中で硬化させる必要がない特長を有している点で望ましい。なお、カチオン重合紫外線硬化型シリコーンとは、分子内にエポキシ官能基を有する公知のポリオルガノシロキサン、公知のオニウム塩系重合開始剤を含む混合物である。
【００１４】
剥離剤の塗布量としては、０．１〜５ｇ／ｍ2程度である。０．１ｇ／ｍ2未満であると紫外線硬化樹脂層２２の剥離が不十分となり、５ｇ／ｍ2を超えても剥離効果の向上がみられずコスト高となるだけとなる。剥離剤の塗布方法は、エアナイフコーター、ブレードコーター、ロッドメタリングコーター、カーテンコーター、ロールコーター等の従来各種塗工機による塗工によって塗布することもできる。特に、模様印刷あるいはベタ印刷によって剥離剤の塗布量や塗布分布を適宜調整することが容易なオフセット印刷、グラビア印刷、凸版印刷、孔版印刷等各種印刷による印刷塗工が好適である。
【００１５】
図示例では設けてはいないが、剥離剤の基紙１２への浸透を抑制するために、剥離剤の種類、粘度等に応じて剥離剤層２１と基紙１２との間に目止め層を設けることができる。目止め層は、特に剥離剤との親和性が高いものが好適である。目止め層の形成は、目止め剤を基紙に塗布することにより形成することができる。目止め剤は、コート紙等の塗工紙に使用される無機顔料や有機顔料とこれらを接着するための水溶性高分子やラテックスと必要に応じて加えられる滑剤等の助剤とを含む塗工液、酸化重合タイプのオフセット印刷インキに各種油脂類を加えたもの、熱乾燥タイプの印刷インキに各種油脂類を加えたもの、等の中から剥離剤層２１に用いる剥離剤に応じて適宜選択できる。特に剥離剤として、カチオン重合紫外線硬化型シリコーンを含む剥離剤またはカチオン重合紫外線硬化型シリコーンからなる剥離剤を用いるのであれば、硬化阻害物質であるアミン類や各種塩基性物質を含まず、これらの物質を基紙層から移行させないことが望ましい。また、目止め層形成用の目止め剤に予め着色剤を混合して目止め層を有色にすると、情報隠蔽用紙片２を情報記入用紙片１に重ね合わせたときの情報隠蔽性が高まる。
【００１６】
目止め剤の塗布方法としては、従来公知の方法、例えばバーコート法、ナイフコート法、ロールコート法、ブレードコート法、ダイコート法、グラビアコート法やオフセット印刷、凸版印刷、グラビア印刷、孔版印刷等の各種印刷方式等を用いることができる。目止め層２１の厚さは、通常３〜５０μｍ、好ましくは５〜２５μｍの範囲である。
【００１７】
紫外線硬化樹脂層２２は、前記剥離剤層２１上に紫外線硬化樹脂を塗布したのち紫外線を照射して硬化させることにより形成することができる。紫外線硬化樹脂層自体は硬化されたもので粘着性はない。紫外線硬化樹脂としては、不飽和ポリエステル系樹脂、アクリレート系樹脂、メタクリレート系樹脂等が挙げられ、特にエポキシアクリレート、ウレタンアクリレート、ポリエステルアクリレート等が好適である。また、紫外線硬化樹脂中に含有されて光重合を開始させる開始剤としては、ベンゾフェノン系、アセトフェノン系、チオキサントン系等の既知のものを用いることができる。
【００１８】
紫外線硬化樹脂の塗布方法は、従来公知の方法、例えばバーコート法、ナイフコート法、ロールコート法、ブレードコート法、ダイコート法、グラビアコート法やオフセット印刷、凸版印刷、グラビア印刷、孔版印刷等の各種印刷方式等を用いることができる。紫外線硬化樹脂層２２の厚さは、葉書重量の増加に伴う料金コストや厚み増加による利便性低下を考慮して、３〜５０μｍ、好ましくは５〜２５μｍとするのが望ましい。
【００１９】
透明粘着剤層２３は、透明粘着剤を紫外線硬化樹脂層２２上に塗布することにより、形成することができる。かかる透明粘着剤としては、例えば、既知のラベル用途に用いられる、天然ゴム系、アクリル系、シリコーン系、ポリウレタン系、ポリエステル系の粘着剤を用いることができる。また、有機溶剤系、エマルジョン系、ホットメルト系であってもよい。前記アクリル系粘着剤としては、主成分として、例えばアクリル酸エステル単独重合体、アクリル酸エステル単位２種以上を含む共重合体およびアクリル酸エステルと他の官能性単量体との共重合体の中から選ばれた少なくとも１種を含有するものが用いられる。該アクリル酸エステルとしては、例えば（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸ノニルエステル、（メタ）アクリル酸デシルエステル等が挙げられる。また、官能性単量体としては、例えば（メタ）アクリル酸ヒドロキシエチルエステル、（メタ）アクリル酸ヒドロキシプロピルエステル等のヒドロキシル基含有単量体、（メタ）アクリルアミド、ジメチル（メタ）アクリルアミド等のアミド基含有単量体、（メタ）アクリル酸等のカルボン酸基含有単量体等が挙げられる。また、このアクリル系粘着剤としては、それが付着した紙類のリサイクル処理における離解工程や再生工程において、不都合をもたらさないようにするために、アルカリ可溶性、水溶性または水再分散性を有するものを用いることもできる。前記ゴム系粘着剤としては、主成分として、例えば天然ゴム、ポリイソプレンゴム、ポリイソブチレンゴム、ポリブタジエンゴム、スチレン−ブタジエン−スチレンブロック共重合体、スチレン−イソプレン−スチレンブロック共重合体等の中から選ばれた少なくとも１種を含有するものが用いられる。
【００２０】
これらの透明粘着剤には、所望に応じて粘着付与剤、架橋剤、充填剤等が配合される。粘着付与剤としては、例えばロジン系樹脂、ポリテルペン系樹脂等の天然樹脂、Ｃ5系、Ｃ9系、ＤＣＰＤ系石油樹脂、クマロンインデン樹脂、キシレン樹脂等の合成樹脂等が挙げられる。架橋剤としては、ポリイソシアネート化合物、エポキシ樹脂、メラミン樹脂、尿素樹脂、金属キレート化合物、金属塩等が挙げられる。充填剤としては、亜鉛華、酸化チタン、シリカ、炭酸カルシウム等が挙げられる。
【００２１】
透明粘着剤の塗布方法としては、従来公知の方法、例えばバーコート法、ナイフコート法、ロールコート法、ブレードコート法、ダイコート法、グラビアコート法やオフセット印刷、凸版印刷、グラビア印刷、孔版印刷等の各種印刷方式等を用いることができる。粘着剤層の厚さは、通常５〜３０μｍ、好ましくは１０〜２０μｍの範囲である。
【００２２】
剥離紙４は、例えば上質紙、グラシン紙、コート紙等の紙基材、これらの紙基材にポリエチレン等の熱可塑性樹脂をラミネートしたラミネート紙、あるいはポリエチレンテレフタレート、ポリブチレンテレフタレート、ポリエチレンナフタレート等のポリエステルフィルム、ポリプロピレンやポリエチレン等のポリオレフィンフィルム等のプラスチックフィルムに、シリコーン樹脂等の離型剤を塗布したものが挙げられる、剥離紙４の厚さについては特に制限はないが、通常３０〜１５０μｍ程度である。
【００２３】
次いで、本形態の隠蔽式葉書Ｘ１の情報隠蔽操作および読み取り操作とともに、各層の関係について詳述する。
まず、隠蔽情報記入部１ｂに隠蔽すべき情報を筆記具等により記入する。
その後に、剥離紙４を剥離して透明粘着剤層２３を露出させる。この剥離紙４を剥離するときに透明粘着剤層２３が剥離紙４にとられて剥離剤層２１と紫外線硬化樹脂層２２との間で層間剥離が生じないように、剥離紙４は透明粘着剤層２３に対して容易に剥離可能となるように剥離強度を調整する。具体的には、剥離強度は、３〜２５Ｎ／２５ｍｍ程度に調整する。
【００２４】
剥離紙４を剥離して透明粘着剤層２３を露出させたのち、情報隠蔽用紙片２を折り線３で折り返して、その透明粘着剤層露出面を情報記入用紙片１の裏面（隠蔽情報記入部１ｂ）に重ねあわせることにより、図４，５に示されるように、情報隠蔽用紙片２と情報記入用紙片１とが貼合されて隠蔽情報記入部１ｂが被覆され隠蔽される。ここで、透明粘着剤層２３は、情報記入用紙片１に接着されたときに情報隠蔽用紙片２が意図せず剥離して隠蔽情報記入部１ｂに記入した隠蔽情報が読み取られないようにするため適当な粘着性が必要である。粘着力の調整は、従来既知の方法により調整することができる。例えば、粘着剤の固形分濃度の調整により調整することができる。ここで、本形態の隠蔽式葉書Ｘ１は、後述するとおり情報隠蔽用紙片２の再剥離時に剥離剤層２１と紫外線硬化樹脂層２２との間で剥離するので、透明粘着剤層２３は強力な粘着力とすることができる。
【００２５】
その後に、葉書Ｘ１は、宛名情報記載部に記載された宛名情報に基づいて郵送され、受取人が情報隠蔽状態の葉書Ｘ１を受け取る。そして、受取人等の隠蔽情報を読み取るべき者が、隠蔽情報記入部１ｂに記入された情報を読み取るときに、前記情報隠蔽用紙片２を情報記入用紙片１から剥離する。情報隠蔽用紙片２と情報記入用紙片１との剥離強度については、一般的な既知の隠蔽式葉書における情報隠蔽シートの剥離強度と同様とすることができる。この情報隠蔽用紙片２と情報記入用紙片１との剥離強度は、ＪＩＳ  Ｚ  ０２３７の１０にある１８０度引き剥がし粘着力の測定であれば、４〜３０Ｎ／２５ｍｍ、好適には６〜２０Ｎ／２５ｍｍ程度とするのが好適である。
【００２６】
ここで、本形態の葉書Ｘ１では剥離剤層２１の存在によって紫外線硬化樹脂層２２と剥離剤層２１との間の接着力が弱くなっており、剥離時には剥離剤層２１と紫外線硬化樹脂層２２との間で層間剥離が生ずる。従って紫外線硬化樹脂層２２は透明粘着剤層２３の粘着力によって情報記入用紙片１側に残り、剥離後に、隠蔽情報記入部１ｂが透明粘着剤層２３および紫外線硬化樹脂層２２で被覆された状態となる。紫外線硬化樹脂層２２および透明粘着剤層２３の両層は透明であるので、隠蔽情報記入部１ｂに記入された情報の読み取りは可能である。そして、隠蔽情報記入部１ｂは硬化した紫外線硬化樹脂層２２により被覆されているので再度の書き込みは不能である。さらに、透明粘着剤層２３も紫外線硬化樹脂層２２で被覆されているから再接着もできない。
【００２７】
ここで、剥離時に紫外線硬化樹脂層２２と剥離剤層２１との間で確実に剥離させるためには、剥離剤層２１と紫外線硬化樹脂層２２との剥離強度を、透明粘着剤層２３と紫外線硬化樹脂層２２との剥離強度、および透明粘着剤層２３と基シート（隠蔽情報記入用紙片）との剥離強度よりも低くなるように調整すればよい。なお、この種の葉書に用いられている一般的な粘着剤により粘着剤層２２を形成すれば、本発明にかかる剥離剤層の存在によりこの剥離強度関係になる。
【００２８】
層間での剥離強度を相違せしめるにあたっては、例えば、剥離剤としてカチオン重合紫外線硬化型シリコーンを主成分とするもの等を用いるのであれば、剥離剤中のシリコーン組成物配合比率を調整することにより接着強度（剥離強度）を調整することが可能である。この方法を採れば、簡易にかつ精度よく紫外線硬化樹脂層に対する接着強度（剥離強度）を調整することが可能である。
【００２９】
なお、上記形態は折り線をはさんで左右に情報隠蔽用紙片と情報記入用紙片とを連接した形態であるが、例えば、図８および９に示すように、上下に連接された形態とすることもできる。また、図８および９に示すように、情報記入用紙片１の表面１Ａに宛名情報記入部２ａを設け、情報隠蔽用紙片２の表面２Ａに地紋印刷を施した態様とすることもできる。
【産業上の利用可能性】
【００３０】
本発明は、隠蔽式葉書のほか、隠蔽式伝票等、シート状物等に記載した情報を隠蔽したのちに再度情報を読み取る必要のある用途に利用することができる。
【図面の簡単な説明】
【００３１】
【図１】本発明の隠蔽式葉書Ｘ１の使用前の表面側を示す図である。
【図２】本発明の隠蔽式葉書Ｘ１の使用前の裏面側を示す図である。
【図３】図２のＩＩＩ−ＩＩＩ矢視図である。
【図４】本発明の隠蔽式葉書Ｘ１の情報隠蔽時の表面側を示す斜視図である。
【図５】図４のＶ−Ｖ矢視図である。
【図６】本発明の隠蔽式葉書Ｘ１の情報隠蔽用紙片剥離後の状態を示す図である。
【図７】図６のＶＩＩ−ＶＩＩ矢視図である。
【図８】本発明の隠蔽式葉書の他の形態Ｘ２の表面側を示す図である。
【図９】本発明の隠蔽式葉書の他の形態Ｘ２の裏面側を示す図である。
【符号の説明】
【００３２】
１…情報記入用紙片、２…情報隠蔽用紙片、３…折り線（ミシン目線）、４…剥離紙、１Ａ…情報記入用紙片表面、１Ｂ…情報記入用紙片裏面、２Ａ…情報隠蔽用紙片表面、２ａ…宛名情報記載部、２Ｂ…情報隠蔽用紙片裏面、２ｂ…隠蔽情報記入部、１２…基紙層、２１…剥離剤層、２２…紫外線硬化樹脂層、２３…透明粘着剤層、Ｍ…地紋印刷、Ｘ１、Ｘ２…隠蔽式葉書。
【図１】
2007268818.tif 000003
【図２】
2007268818.tif 000004
【図３】
2007268818.tif 000005
【図４】
2007268818.tif 000006
【図５】
2007268818.tif 000007
【図６】
2007268818.tif 000008
【図７】
2007268818.tif 000009
【図８】
2007268818.tif 000010
【図９】
2007268818.tif 000011